(57)【特許請求の範囲】
【請求項１】
エレベータのかごに利用者が乗車したことを検出する検出装置と、
前記かご内に設置され、前記検出装置が前記かごに前記利用者が乗車したことを検出したとき、無線信号を発信する無線信号装置と、を含み、
前記無線信号装置が発信した無線信号により、前記利用者が所持している携帯端末に予めインストールされた特定のアプリケーションにおいて、特定の機能を実行可能とする、エレベータシステム。
【請求項２】
前記検出装置は、前記かご内に設置され、建物の各階床に対応付けられた行先階登録ボタンのいずれかが押下された場合、エレベータのかごに利用者が乗車したことを検出する、請求項１に記載のエレベータシステム。
【請求項３】
前記特定の機能は、前記かごの行先階に設けられた特定の装置の制御であり、
前記携帯端末から受信した前記特定の装置を制御するための制御信号を、前記特定の装置へ送信する中継装置をさらに含み、
前記検出装置は、前記行先階登録ボタンのうち、前記特定の装置が設けられた階床に対応付けられたボタンが押下された場合、エレベータのかごに利用者が乗ったことを検出する、請求項２に記載のエレベータシステム。
【請求項４】
前記無線信号装置は、前記特定の装置が設けられた階床に前記かごが到着するまで、前記無線信号を発信し続ける、請求項３に記載のエレベータシステム。
【請求項５】
前記特定の装置は、立体駐車場の制御装置であり、
前記特定の装置の制御は、前記利用者の車両を前記立体駐車場から出庫可能とすることである、請求項３または４に記載のエレベータシステム。
【請求項６】
前記立体駐車場に設けられた駐車場側無線信号装置と、
前記エレベータを制御するエレベータ制御装置と、をさらに含み、
前記駐車場側無線信号装置が発信した無線信号により、前記特定のアプリケーションにおいて、前記エレベータ制御装置に対する、前記立体駐車場が設けられた階床への呼びの登録を実行可能とし、
前記中継装置は、前記携帯端末から受信した前記呼びの登録のための登録信号を、前記エレベータ制御装置へ送信する、請求項５に記載のエレベータシステム。
【請求項７】
前記駐車場側無線信号装置は、前記立体駐車場の操作盤の電源を入れたとき、無線信号を発信する、請求項６に記載のエレベータシステム。
【請求項８】
前記中継装置は、
前記携帯端末から、前記登録信号とともに当該携帯端末を識別する第１の識別情報を受信し、
前記無線信号装置から発信された無線信号への応答として前記携帯端末が送信した、当該携帯端末を識別する第２の識別情報を受信し、
前記第２の識別情報が、前記第１の識別情報と一致するまで、前記登録信号を前記エレベータ制御装置へ送信し続ける、請求項６または７に記載のエレベータシステム。
【発明の詳細な説明】
【技術分野】
【０００１】
本発明は、エレベータの利用者の携帯端末を制御するエレベータシステムに関する。
【背景技術】
【０００２】
特許文献１には、エレベータの緊急停止時に、かご内に設置された無線信号装置が無線信号を発信する技術が開示されている。当該技術では、この無線信号により、エレベータの利用者の携帯端末にインストールされているアプリケーションを起動し、監視センターに通報する。
【先行技術文献】
【特許文献】
【０００３】
【特許文献１】特許第６３０６１３３号
【発明の概要】
【発明が解決しようとする課題】
【０００４】
しかしながら、特許文献１の技術では、緊急停止時に無線信号装置が無線信号を発信するため、エレベータの利用者がかごに乗車していないという、無線信号が不要な場合にも、無線信号が発信されてしまう。
【０００５】
本発明の一態様は、適切な状況において無線信号を発信させ、エレベータの利用者の携帯端末において特定の機能を実行可能とするエレベータシステムを実現することを目的とする。
【課題を解決するための手段】
【０００６】
前記の課題を解決するために、本発明の態様１に係るエレベータシステムは、エレベータのかごに利用者が乗車したことを検出する検出装置と、前記かご内に設置され、前記検出装置が前記かごに前記利用者が乗車したことを検出したとき、無線信号を発信する無線信号装置と、を含み、前記無線信号装置が発信した無線信号により、前記利用者が所持している携帯端末に予めインストールされた特定のアプリケーションにおいて、特定の機能を実行可能とする。
【０００７】
前記の構成によれば、無線信号装置は、かごに利用者が乗車したことが検出されたときに無線信号を発信するので、かごに利用者が乗車していないという、無線信号が不要であることが明らかな状況において無線信号を発信しない。結果として、適切な状況において無線信号を発信することができる。
【０００８】
また、本発明の態様２に係るエレベータシステムは、前記態様１において、前記検出装置は、前記かご内に設置され、建物の各階床に対応付けられた行先階登録ボタンのいずれかが押下された場合、エレベータのかごに利用者が乗車したことを検出してもよい。
【０００９】
前記の構成によれば、かごに利用者が乗車したことを精度よく検知することができる。結果として、かごに利用者が乗車していないにもかかわらず、無線信号装置が無線信号を発信してしまうという誤作動を大幅に低減することができる。
【００１０】
また、本発明の態様３に係るエレベータシステムは、前記態様２において、前記特定の機能は、前記かごの行先階に設けられた特定の装置の制御であり、前記携帯端末から受信した前記特定の装置を制御するための制御信号を、前記特定の装置へ送信する中継装置をさらに含み、前記検出装置は、前記行先階登録ボタンのうち、前記特定の装置が設けられた階床に対応付けられたボタンが押下された場合、エレベータのかごに利用者が乗ったことを検出してもよい。
【００１１】
前記の構成によれば、制御対象の特定の装置がある階床に、利用者が行くことが決定した場合に、無線信号装置が無線信号を発信するので、当該特定の装置の制御が必要な利用者の携帯端末にのみ無線信号を発信することができる。また、携帯端末のユーザは、かごの移動先にある特定の装置の制御を、利用者としてかごに乗車したときに行うことができる。つまり、かごの移動先にある特定の装置の制御を、適切なタイミングで行うことができる。
【００１２】
また、本発明の態様４に係るエレベータシステムは、前記態様３において、前記無線信号装置は、前記特定の装置が設けられた階床に前記かごが到着するまで、前記無線信号を発信し続けてもよい。
【００１３】
前記の構成によれば、特定の装置が設けられた階床への移動途中の階床にかごが到着する前に、かごが途中の階床で停止して利用者が乗車した場合において、当該利用者の携帯端末も、無線信号を受信することができる。よって、当該利用者は、特定の装置が設けられた階床に対応付けられた行先階登録ボタンを押下しなくても、特定の装置の制御を行うことができる。
【００１４】
また、本発明の態様５に係るエレベータシステムは、前記態様３または４において、前記特定の装置は、立体駐車場の制御装置であり、前記特定の装置の制御は、前記利用者の車両を前記立体駐車場から出庫可能とすることであってもよい。
【００１５】
前記の構成によれば、利用者は、エレベータのかごに乗車してから自身の車両を立体駐車場から出庫可能とするので、適切なタイミングで車両を出庫可能とすることができる。また、立体駐車場の操作盤を操作せずとも車両を出庫可能とすることができるので、車両の出庫にかかる時間を短縮することができる。
【００１６】
また、本発明の態様６に係るエレベータシステムは、前記態様５において、前記立体駐車場に設けられた駐車場側無線信号装置と、前記エレベータを制御するエレベータ制御装置と、をさらに含み、前記駐車場側無線信号装置が発信した無線信号により、前記特定のアプリケーションにおいて、前記エレベータ制御装置に対する、前記立体駐車場が設けられた階床への呼びの登録を実行可能とし、前記中継装置は、前記携帯端末から受信した前記呼びの登録のための登録信号を、前記エレベータ制御装置へ送信してもよい。
【００１７】
前記の構成によれば、車両を立体駐車場へ入庫する際に、エレベータのかごを立体駐車場が設けられた階床へ呼ぶことができる。結果として、当該階床のエレベータ乗場での、かごの到着の待ち時間を短縮することができる。
【００１８】
また、本発明の態様７に係るエレベータシステムは、前記態様６において、前記駐車場側無線信号装置は、前記立体駐車場の操作盤の電源を入れたとき、無線信号を発信してもよい。
【００１９】
前記の構成によれば、車両の入庫の際に操作盤の電源を入れたときに、エレベータのかごを立体駐車場が設けられた階床に呼ぶことができるようになるので、不必要なタイミングでの無線信号の発信を低減することができる。
【００２０】
また、本発明の態様８に係るエレベータシステムは、前記態様６または７において、前記中継装置は、前記携帯端末から、前記登録信号とともに当該携帯端末を識別する第１の識別情報を受信し、前記無線信号装置から発信された無線信号への応答として前記携帯端末が送信した、当該携帯端末を識別する第２の識別情報を受信し、前記第２の識別情報が、前記第１の識別情報と一致するまで、前記登録信号を前記エレベータ制御装置へ送信し続けてもよい。
【００２１】
前記の構成によれば、立体駐車場からエレベータ乗場まで移動する間に、別の利用者がかごに乗車して別の階床へ移動してしまった場合でも、立体駐車場が設けられた階床へ、再度かごを移動させることができる。結果として、エレベータ乗場での待ち時間が発生する可能性を低減させることができる。
【００２２】
本発明の各態様に係るエレベータシステムに含まれる各装置（特に、検出装置、中継装置およびエレベータ制御装置）は、コンピュータによって実現してもよく、この場合には、コンピュータを各装置が備える各部（ソフトウェア要素）として動作させることにより各装置をコンピュータにて実現させる各装置の制御プログラム、およびそれを記録したコンピュータ読み取り可能な記録媒体も、本発明の範疇に入る。
【発明の効果】
【００２３】
本発明の一態様によれば、適切な状況において無線信号を発信させ、エレベータの利用者の携帯端末において特定の機能を実行可能とすることができる。
【図面の簡単な説明】
【００２４】
【図１】本発明の一実施形態に係るエレベータシステムの概要図である。
【図２】図１に示すエレベータシステムに含まれるエレベータ制御装置の要部構成の一例を示すブロック図である。
【図３】図１に示すエレベータシステムに含まれる中継装置の要部構成の一例を示すブロック図である。
【図４】図１に示すエレベータシステムにより制御される立体駐車場制御装置の要部構成の一例を示すブロック図である。
【図５】図１に示すエレベータシステムにより制御される携帯端末の要部構成の一例を示すブロック図である。
【図６】エレベータシステムが実行する出庫処理の流れの一例を示すシーケンス図である。
【図７】携帯端末の画面表示の一具体例を示す図である。
【図８】携帯端末の画面表示の一具体例を示す図である。
【図９】携帯端末の画面表示の一具体例を示す図である。
【図１０】エレベータシステムが実行するかご呼び処理の流れの一例を示すシーケンス図である。
【図１１】携帯端末の画面表示の一具体例を示す図である。
【図１２】本発明の一実施形態の変形例に係るかご呼び処理において、中継装置が実行する処理の流れの一例を示すフローチャートである。
【発明を実施するための形態】
【００２５】
＜エレベータシステム１＞
図１は、本実施形態に係るエレベータシステム１の概要図である。図１に示すように、エレベータシステム１は、エレベータ制御装置２（検出装置）、中継装置３、エレベータ側ビーコン６Ａおよび６Ｂ（無線信号装置）、立体駐車場側ビーコン７（駐車場側無線信号装置）並びにエレベータ８Ａおよび８Ｂを少なくとも含む。なお、エレベータ側ビーコン６Ａおよび６Ｂを区別しないときには、単に「エレベータ側ビーコン６」と表記する。また、エレベータ８Ａおよび８Ｂを区別しないときには、単に「エレベータ８」と表記する。
【００２６】
なお、図１には、立体駐車場制御装置４（特定の装置、立体駐車場の制御装置）、携帯端末５および立体駐車場９が記載されているが、エレベータシステム１は、これらを含まないものであってもよい。
【００２７】
エレベータシステム１は、エレベータ８に乗車した利用者の携帯端末５を制御し、携帯端末５にインストールされた特定のアプリケーションにおいて、特定の機能を実行可能とするシステムである。本実施形態に係る特定の機能は、利用者の車両を立体駐車場９から出庫可能とすることを含む。ただし、特定の機能はこの例に限定されない。なお、本実施形態では、立体駐車場９が設けられた階床は、１階であるものとして説明するが、当該階床はこの例に限定されない。また、以降、特定のアプリケーションを単に「アプリケーション」と表記する。
【００２８】
また、エレベータシステム１は、立体駐車場９において車両を入庫する操作を行った上記利用者の携帯端末５を制御し、アプリケーションにおいて、エレベータ８のかごを、立体駐車場９が設けられた階床へ移動させる呼びを登録可能とする。すなわち、上記特定の機能は、エレベータ８のかごを、立体駐車場９が設けられた階床へ移動させる呼びを登録可能とすることを含む。
【００２９】
アプリケーションは、一例として、エレベータシステム１を管理する管理者により開発され、各種アプリケーションを配信する配信サーバ（不図示）により、ネットワークを介して利用者の携帯端末５に配信される。なお、配信サーバは、上記管理者に帰属していてもよい。
【００３０】
（エレベータ制御装置２）
エレベータ制御装置２はエレベータ８を制御する。図２は、エレベータ制御装置２の要部構成の一例を示すブロック図である。なお、図２は、本発明に関連性の高い部材のみを示した図であり、エレベータ制御装置２が備える部材のうち、本発明に関連性の低い部材については記載を省略している。また、本発明に関連性の低い部材については、本明細書での説明を省略する。
【００３１】
エレベータ制御装置２は、通信部２１、操作信号取得部２２および制御部２３を含む。通信部２１は、エレベータ制御装置２と他の装置との情報の送受信を行う。他の装置は、例えば中継装置３であるが、この例に限定されない。
【００３２】
操作信号取得部２２は、エレベータ８に設けられた操作入力部（不図示）に対して入力された操作に基づく操作信号を取得する。操作入力部は、例えば、エレベータ８のかご内に設けられた行先階登録ボタン、エレベータ８の乗場に設けられた乗場ボタンなどであるが、この例に限定されない。行先階登録ボタンは、一例として、建物の各階床に対応する数字が記載された物理ボタンであり、当該行先階登録ボタンのいずれかを乗客が押下することで、押下されたボタンに対応する階床が、行先階としてエレベータ制御装置２に登録される。ここで、或る階床が行先階として登録されるとは、エレベータ制御装置２が、当該階床を行先階とする呼びを取得し、当該呼びを自装置に登録することである。
【００３３】
なお、行先階登録ボタンは、かご内に設けられたタッチパネルに表示されるグラフィカルユーザインターフェース（ＧＵＩ）として実現されてもよい。また、操作信号取得部２２は、取得した操作信号を制御部２３へ出力する。
【００３４】
制御部２３は、エレベータ８の各種制御を行う。一例として、制御部２３は、行先階登録ボタンのいずれかが押下されたことを示す操作信号を取得した場合、押下されたボタンに対応する階床を行先階として登録し、エレベータ８のかごを移動させる。また、制御部２３は、当該行先階が、立体駐車場９が設けられた１階である場合、登録が完了したことを示す呼び登録完了信号を通信部２１へ出力する。通信部２１は、取得した呼び登録完了信号を中継装置３へ送信する。
【００３５】
また、制御部２３は、かごを１階に移動させて停止させると、かごが１階に到着したことを示す到着信号を通信部２１へ出力する。通信部２１は、取得した到着信号を中継装置３へ送信する。
【００３６】
また、制御部２３は、中継装置３から送信された呼び登録依頼信号を、通信部２１を介して受信すると、１階を行先階として登録し、かごを１階へ向けて移動させる。当該呼び登録依頼信号は、携帯端末５から中継装置３を介して送信された信号である。呼び登録依頼信号の詳細については後述する。
【００３７】
（中継装置３）
中継装置３は、エレベータシステム１に含まれる各装置間の情報の送受信を中継する。図３は、中継装置３の要部構成の一例を示すブロック図である。中継装置３は、通信部３１およびビーコン制御部３２を含む。通信部３１は、中継装置３と他の装置との情報の送受信を行う。他の装置は、例えば、エレベータ制御装置２、立体駐車場制御装置４、携帯端末５、エレベータ側ビーコン６および立体駐車場側ビーコン７であるがこの例に限定されない。
【００３８】
ビーコン制御部３２は、エレベータ側ビーコン６および立体駐車場側ビーコン７を制御する。一例として、ビーコン制御部３２は、エレベータ制御装置２から送信された呼び登録完了信号を、通信部３１を介して受信する。ビーコン制御部３２は、当該信号の受信に基づき、ビーコンに無線信号を発信させるための信号発信指令を生成し、通信部３１を介してエレベータ側ビーコン６へ送信する。また、別の例として、ビーコン制御部３２は、エレベータ制御装置２から送信された到着信号を、通信部３１を介して受信する。ビーコン制御部３２は、当該信号の受信に基づき、ビーコンに無線信号を停止させるための信号停止指令を生成し、通信部３１を介してエレベータ側ビーコン６へ送信する。
【００３９】
また、別の例として、ビーコン制御部３２は、立体駐車場制御装置４から送信された、立体駐車場９の操作盤（不図示）の電源がＯＮになったことを示す電源ＯＮ信号を、通信部３１を介して受信する。ビーコン制御部３２は、当該信号の受信に基づき、信号発信指令を生成し、通信部３１を介して立体駐車場側ビーコン７へ送信する。また、別の例として、ビーコン制御部３２は、立体駐車場制御装置４から送信された、立体駐車場９の操作盤の電源がＯＦＦになったことを示す電源ＯＦＦ信号を、通信部３１を介して受信する。ビーコン制御部３２は、当該信号の受信に基づき、信号停止指令を生成し、通信部３１を介して立体駐車場側ビーコン７へ送信する。
【００４０】
（エレベータ側ビーコン６）
エレベータ側ビーコン６は、エレベータ８のかご内に設けられたビーコンであり、中継装置３からの指令に従い、無線信号の発信および停止を行う。エレベータ側ビーコン６は、中継装置３から信号発信指令を受信すると、無線信号を発信する。また、エレベータ側ビーコン６は、中継装置３から信号停止指令を受信すると、無線信号の発信を終了する。
【００４１】
（立体駐車場側ビーコン７）
立体駐車場側ビーコン７は、立体駐車場９の操作盤に設けられたビーコンであり、中継装置３からの指令に従い、無線信号の発信および停止を行う。立体駐車場側ビーコン７は、中継装置３から信号発信指令を受信すると、無線信号を発信する。また、立体駐車場側ビーコン７は、中継装置３から信号停止指令を受信すると、無線信号の発信を終了する。
【００４２】
（立体駐車場制御装置４）
立体駐車場制御装置４は立体駐車場を制御する。本実施形態では、立体駐車場制御装置４は、操作盤と一体となっているものとして説明する。図４は、立体駐車場制御装置４の要部構成の一例を示すブロック図である。なお、図４は、本発明に関連性の高い部材のみを示した図であり、立体駐車場制御装置４が備える部材のうち、本発明に関連性の低い部材については記載を省略している。また、本発明に関連性の低い部材については、本明細書での説明を省略する。
【００４３】
立体駐車場制御装置４は、通信部４１、操作信号取得部４２および制御部４３を含む。通信部４１は、立体駐車場制御装置４と他の装置との情報の送受信を行う。他の装置は、例えば中継装置３であるが、この例に限定されない。
【００４４】
操作信号取得部４２は、立体駐車場９に設けられた操作盤に対して入力された操作に基づく操作信号を取得し、制御部４３へ出力する。当該操作は、例えば、パレットを選択するためのテンキーの押下と、当該押下に続いて入力される、立体駐車場９を動作させるための実行キーの押下である。当該操作に基づく操作信号は、テンキーの押下により入力された、パレットを示す数値と、立体駐車場の動作命令とを含む。
【００４５】
また、操作盤は、操作盤の電源のＯＮ／ＯＦＦを切り替える電源スイッチを含む。操作信号取得部４２は、電源スイッチへの操作により、操作盤の電源がＯＮとなったことを示す操作信号を取得した場合、電源ＯＮ信号を通信部４１へ出力する。通信部４１は、取得した電源ＯＮ信号を中継装置３へ送信する。また、操作信号取得部４２は、電源スイッチへの操作により、操作盤の電源がＯＦＦとなったことを示す操作信号を取得した場合、電源ＯＦＦ信号を通信部４１へ出力する。通信部４１は、取得した電源ＯＦＦ信号を中継装置３へ送信する。
【００４６】
制御部４３は、立体駐車場制御装置４の各種制御を行う。一例として、制御部４３は、上記数値および動作命令を含む操作信号を取得すると、当該数値が示すパレットに駐車された車両が出庫可能となるように、立体駐車場９の各部を動作させる。
【００４７】
また、制御部４３は、中継装置３から送信された出庫依頼信号を、通信部４１を介して受信すると、当該出庫依頼信号が示すパレットに駐車された車両が出庫可能となるように、立体駐車場９の各部を動作させる。当該出庫依頼信号は、携帯端末５から中継装置３を介して送信された信号である。出庫依頼信号の詳細については後述する。
【００４８】
（携帯端末５）
図５は、携帯端末５の要部構成の一例を示すブロック図である。なお、図５は、本発明に関連性の高い部材のみを示した図であり、携帯端末５が備える部材のうち、本発明に関連性の低い部材については記載を省略している。また、本発明に関連性の低い部材については、本明細書での説明を省略する。
【００４９】
携帯端末５は、通信部５１、アプリケーション制御部５２およびタッチパネル５３を含む。通信部５１は、携帯端末５と他の装置との情報の送受信を行う。他の装置は、例えば中継装置３であるが、この例に限定されない。また、通信部５１は、エレベータ側ビーコン６または立体駐車場側ビーコン７から発信される無線信号を受信する。通信部５１は、当該無線信号を受信すると、その旨をアプリケーション制御部５２へ通知する。
【００５０】
アプリケーション制御部５２は、アプリケーションを制御する。アプリケーション制御部５２は、一例として、通信部５１から、エレベータ側ビーコン６または立体駐車場側ビーコン７から発信される無線信号を受信したことを通知されると、アプリケーションを起動する。また、アプリケーション制御部５２は、タッチパネル５３から取得した、各種操作の操作信号に応じた信号を生成し、通信部５１を介して中継装置３へ送信する。
【００５１】
タッチパネル５３は、利用者の操作の入力を受け付け、当該操作を示す操作信号をアプリケーション制御部５２へ出力する。また、タッチパネル５３は、アプリケーション制御部５２により制御され、各種画像を表示する。
【００５２】
なお、本実施形態では携帯端末５がスマートフォンである例を説明するが、携帯端末５はスマートフォンに限定されず、フィーチャーフォンやタブレット端末などであってもよい。また、携帯端末５は、タッチパネル５３に代えて、互いに別体の表示部および操作部を備える構成であってもよい。
【００５３】
＜出庫処理の流れ＞
続いて、エレベータシステム１が実行する出庫処理の流れについて、その一例を説明する。図６は、当該出庫処理の流れの一例を示すシーケンス図である。
【００５４】
エレベータ制御装置２の操作信号取得部２２は、行先階登録ボタンのうち、１階を行先階とするボタンが押下されたことを示す操作信号を待機している（ステップＳ１、以下、「ステップ」の記載を省略）。なお、以下では、「１階を行先階とするボタン」を「１階登録ボタン」と表記する。利用者がエレベータ８に乗車し、１階登録ボタンが押下されると（Ｓ１でＹＥＳ）、操作信号取得部２２は、当該ボタンが押下されたことを示す操作信号を取得する。操作信号取得部２２は、取得した操作信号を制御部２３へ出力する。
【００５５】
制御部２３は、取得した操作信号に基づき、１階を行先階として登録し、エレベータ８のかごを１階へ向かって移動させる。また、制御部２３は、呼び登録完了信号を通信部２１へ出力する。通信部２１は、取得した呼び登録完了信号を中継装置３へ送信する（図６のｄ１、以下、「図６の」の記載を省略する）。
【００５６】
中継装置３の通信部３１は、呼び登録完了信号を受信すると、当該信号をビーコン制御部３２へ出力する。ビーコン制御部３２は、呼び登録完了信号を取得したことに基づき、信号発信指令を生成し、通信部３１へ出力する。通信部３１は、取得した信号発信指令をエレベータ側ビーコン６へ送信する（ｄ１１）。
【００５７】
エレベータ側ビーコン６は、信号発信指令を受信すると、無線信号を発信する（Ｓ２１）。この無線信号の発信は、信号停止指令を受信するまで継続して行われる。
【００５８】
携帯端末５の通信部５１は、エレベータ側ビーコン６から発信された無線信号を受信すると（Ｓ３１でＹＥＳ）、その旨をアプリケーション制御部５２へ通知する。アプリケーション制御部５２は、当該通知に基づきアプリケーションを起動する（Ｓ３２）。アプリケーション制御部５２は、アプリケーションを起動したことに基づき、タッチパネル５３への画面表示を行う。
【００５９】
図７は、携帯端末５の画面表示の一具体例を示す図である。具体的には、図７は、Ｓ３２においてアプリケーションが自動で起動された後の画面表示例である。図７の例では、携帯端末５のタッチパネル５３に、画像５３１、５３２および５３３が表示されている。画像５３１は、「車を出庫しますか？」とのテキストを含み、利用者に車両の出庫を行うか否かを判断させる。画像５３２は「ＹＥＳ」とのテキストを含む。画像５３３は「ＮＯ」とのテキストを含む。画像５３２および５３３はＧＵＩであり、利用者は、車両の出庫を行う場合は画像５３２へのタッチ操作を入力する。一方、車両の出庫を行わない場合、利用者は画像５３３へのタッチ操作を入力する。なお、図７の例では、利用者は、画像５３２へのタッチ操作を入力している。
【００６０】
また、不必要な立体駐車場９の制御を防ぐため、図７に示す画面は、エレベータ側ビーコン６から発信された無線信号を受信したときのみ表示される構成であることが好ましい。
【００６１】
再び図６を参照して、出庫処理の流れの説明に戻る。アプリケーション制御部５２は、出庫操作、すなわち、画像５３２へのタッチ操作を受け付けたか否かを判定する（Ｓ３３）。出庫操作を受け付けた場合（Ｓ３３）、アプリケーション制御部５２は、立体駐車場９から利用者の車両を出庫するための出庫依頼信号を生成し、通信部５１へ出力する。通信部５１は、取得した出庫依頼信号を中継装置３へ送信する（ｄ３１）。なお、出庫依頼信号には、利用者の車両が駐車されているパレットを識別する情報（以下、駐車位置識別情報）が含まれている。駐車位置識別情報は、例えば、利用者の車両が駐車されているパレットの番号であってもよい。また、駐車位置識別情報は、例えば、アプリケーションの初回起動時に、利用者が入力し、携帯端末５の記憶部（不図示）に記憶される。
【００６２】
中継装置３の通信部３１は、受信した出庫依頼信号を立体駐車場制御装置４へ送信する（ｄ１２）。
【００６３】
立体駐車場制御装置４の通信部４１は、出庫依頼信号を受信すると、当該出庫依頼信号を制御部４３へ出力する。制御部４３は、立体駐車場９が使用中であるか否かを判定する（Ｓ４１）。ここで、立体駐車場９が使用中であるとは、例えば、別の立体駐車場９の利用者が、車両を出庫または入庫中であるなどの状況であるが、この例に限定されない。
【００６４】
立体駐車場９が使用中でない場合（Ｓ４１でＮＯ）、制御部４３は、取得した出庫依頼信号が示す車両を出庫可能な状態とする（Ｓ４２）。具体的には、制御部４３は、出庫依頼信号に含まれる駐車位置識別情報から、出庫依頼の対象である車両が駐車されたパレットを特定する。そして、例えば、当該パレットが出庫位置に来るように、立体駐車場９を制御する。これにより、エレベータ８のかごに乗車している利用者は、かごからの降車後、立体駐車場９の操作盤を操作して車両を出庫する必要が無くなるので、出庫にかかる時間を短縮することができる。なお、出庫位置とは、立体駐車場９における、車両を出庫させることが可能な位置である。一方、立体駐車場９が使用中である場合（Ｓ４１でＹＥＳ）、制御部４３はＳ４２の処理を実行しない。また、制御部４３は、立体駐車場９が使用中であるか否かの判定結果を、通信部４１へ出力する。通信部４１は、取得した判定結果を中継装置３へ送信する（ｄ４１）。
【００６５】
中継装置３の通信部３１は、受信した、立体駐車場９が使用中であるか否かの判定結果を携帯端末５へ送信する（ｄ１３）。
【００６６】
通信部５１は、受信した判定結果をアプリケーション制御部５２へ出力する。アプリケーション制御部５２は、取得した判定結果に応じた画像を表示する（Ｓ３４）。これにより、携帯端末５は、出庫依頼が受け付けられたか否かを利用者に通知することができる。
【００６７】
図８は、携帯端末５の画面表示の一具体例を示す図である。具体的には、図８は、立体駐車場９が使用中でないとの判定結果を受信した場合の画面表示例である。図８の例では、タッチパネル５３に、画像５３４が表示されている。画像５３４は「出庫を受け付けました」とのテキストを含む。これにより、携帯端末５は、出庫依頼が受け付けられたことを利用者に通知することができる。
【００６８】
図９は、携帯端末５の画面表示の一具体例を示す図である。具体的には、図９は、立体駐車場９が使用中であるとの判定結果を受信した場合の画面表示例である。図９の例では、タッチパネル５３に、画像５３５が表示されている。画像５３５は「他の利用者が出庫中のため受け付けできません」とのテキストを含む。これにより、携帯端末５は、出庫依頼が受け付けられなかったことを利用者に通知することができる。
【００６９】
エレベータ制御装置２の制御部２３は、エレベータ８のかごが１階に到着すると（Ｓ２でＹＥＳ）、到着信号を通信部２１へ出力する。通信部２１は、取得した到着信号を中継装置３へ送信する（ｄ２）。
【００７０】
中継装置３の通信部３１は、到着信号を受信すると、当該信号をビーコン制御部３２へ出力する。ビーコン制御部３２は、到着信号を取得したことに基づき、信号停止指令を生成し、通信部３１へ出力する。通信部３１は、取得した信号停止指令をエレベータ側ビーコン６へ送信する（ｄ１４）。
【００７１】
エレベータ側ビーコン６は、信号停止指令を受信すると、継続して発信していた無線信号を停止させる（Ｓ２２）。
【００７２】
＜かご呼び処理の流れ＞
続いて、エレベータシステム１が実行するかご呼び処理について、その一例を説明する。図１０は、かご呼び処理の流れの一例を示すシーケンス図である。
【００７３】
立体駐車場制御装置４の操作信号取得部４２は、立体駐車場９の操作盤の電源がＯＮとなったことを示す操作信号を待機している（Ｓ５１）。操作盤の電源がＯＮになると（Ｓ５１でＹＥＳ）、操作信号取得部４２は、電源がＯＮになったことを示す操作信号を取得する。操作信号取得部４２は、取得した操作信号に基づき、電源ＯＮ信号を生成し、通信部４１へ出力する。通信部４１は、取得した電源ＯＮ信号を中継装置３へ送信する（ｄ５１）。
【００７４】
中継装置３の通信部３１は、電源ＯＮ信号を受信すると、当該信号をビーコン制御部３２へ出力する。ビーコン制御部３２は、電源ＯＮ信号を取得したことに基づき、信号発信指令を生成し、通信部３１へ出力する。通信部３１は、取得した信号発信指令を立体駐車場側ビーコン７へ送信する（ｄ６１）。
【００７５】
立体駐車場側ビーコン７は、信号発信指令を受信すると、無線信号を発信する（Ｓ７１）。この無線信号の発信は、信号停止指令を受信するまで継続して行われる。
【００７６】
携帯端末５の通信部５１は、立体駐車場側ビーコン７から発信された無線信号を受信すると（Ｓ８１でＹＥＳ）、その旨をアプリケーション制御部５２へ通知する。アプリケーション制御部５２は、当該通知に基づきアプリケーションを起動する（Ｓ８２）。アプリケーション制御部５２は、アプリケーションを起動したことに基づき、タッチパネル５３への画面表示を行う。
【００７７】
図１１は、携帯端末５の画面表示の一具体例を示す図である。具体的には、図１１は、Ｓ８２においてアプリケーションを起動した後の画面表示例である。図１１の例では、携帯端末５のタッチパネル５３に、画像５３６、５３７および５３８が表示されている。画像５３６は、「エレベータ呼び登録しますか？」とのテキストを含み、１階を行先階としてエレベータ制御装置２へ登録するか否かを利用者に判断させる。画像５３７は「ＹＥＳ」とのテキストを含む。画像５３８は「ＮＯ」とのテキストを含む。画像５３７および５３８はＧＵＩであり、利用者は、登録を行う場合は画像５３７へのタッチ操作を入力する。一方、登録を行わない場合、利用者は画像５３８へのタッチ操作を入力する。なお、図１１の例では、利用者は、画像５３７へのタッチ操作を入力している。
【００７８】
また、不必要な行先階の登録を防ぐため、図１１に示す画面は、立体駐車場側ビーコン７から発信された無線信号を受信したときのみ表示される構成であることが好ましい。
【００７９】
再び図１０を参照して、かご呼び処理の流れの説明に戻る。アプリケーション制御部５２は、呼び登録操作、すなわち、画像５３７へのタッチ操作を受け付けたか否かを判定する（Ｓ８３）。呼び登録操作を受け付けた場合（Ｓ８３）、アプリケーション制御部５２は、１階を行先階としてエレベータ制御装置２へ登録するための呼び登録依頼信号（登録信号）を生成し、通信部５１へ出力する。通信部５１は、取得した呼び登録依頼信号を中継装置３へ送信する（ｄ８１）。
【００８０】
中継装置３の通信部３１は、受信した呼び登録依頼信号を、エレベータ制御装置２へ転送する（ｄ６２）。
【００８１】
エレベータ制御装置２の通信部２１は、受信した呼び登録依頼信号を制御部２３へ出力する。制御部２３は、呼び登録依頼信号に基づき、１階を行先階として登録し（Ｓ９１）、エレベータ８のかごを１階へ向かって移動させる。これにより、車両の立体駐車場９への入庫を行なっている利用者は、入庫後、エレベータ８の１階の乗場にてかご呼び操作（例えば、乗場ボタンの押下）を行う必要が無くなるので、エレベータ８の待ち時間を短縮することができる。
【００８２】
立体駐車場制御装置４の操作信号取得部４２は、電源ＯＮ信号の送信後、操作盤の電源がＯＦＦになったことを示す操作信号を待機している（Ｓ５２）。操作盤の電源がＯＦＦになると（Ｓ５２でＹＥＳ）、操作信号取得部４２は、電源がＯＦＦになったことを示す操作信号を取得する。操作信号取得部４２は、取得した操作信号に基づき、電源ＯＦＦ信号を生成し、通信部４１へ出力する。通信部４１は、取得した電源ＯＦＦ信号を中継装置３へ送信する（ｄ５２）。
【００８３】
中継装置３の通信部３１は、電源ＯＦＦ信号を受信すると、当該信号をビーコン制御部３２へ出力する。ビーコン制御部３２は、電源ＯＦＦ信号を取得したことに基づき、信号停止指令を生成し、通信部３１へ出力する。通信部３１は、取得した信号停止指令を立体駐車場側ビーコン７へ送信する（ｄ５２）。
【００８４】
立体駐車場側ビーコン７は、信号停止指令を受信すると、継続して発信していた無線信号を停止させる（Ｓ７２）。
【００８５】
＜効果＞
以上のとおり、本実施形態に係るエレベータシステム１は、エレベータ８のかごに利用者が乗車したことを検出するエレベータ制御装置２を含む。また、エレベータシステム１は、かご内に設置され、エレベータ制御装置２がかごに利用者が乗車したことを検出したことをトリガとして、無線信号を発信するエレベータ側ビーコン６を含む。また、エレベータシステム１は、エレベータ側ビーコン６が発信した無線信号により、利用者が所持している携帯端末５に予めインストールされたアプリケーションにおいて、特定の機能を実行可能とする。
【００８６】
この構成によれば、エレベータ側ビーコン６は、かごに利用者が乗ったことを検出したときに無線信号を発信するので、かごに利用者が乗っていないという、無線信号が不要であることが明らかな状況において無線信号を発信しない。結果として、エレベータシステム１は、適切な状況において無線信号を発信し、携帯端末５において特定の機能を実行可能とすることができる。また、エレベータ側ビーコン６が電池を電源としている場合、当該電池の長寿命化を図ることができる。
【００８７】
また、エレベータ制御装置２は、かご内に設置された行先階登録ボタンのいずれかが押下された場合、エレベータ８のかごに利用者が乗車したことを検出する。この構成によれば、かごに利用者が乗ったことを精度よく検出することができる。結果として、かごに利用者が乗っていないにもかかわらず、エレベータ側ビーコン６が無線信号を発信してしまうという誤作動を大幅に低減することができる。
【００８８】
また、特定の機能は、かごの行先階に設けられた特定の装置の制御である。エレベータシステム１は、携帯端末５から受信した特定の装置の制御信号を、当該特定の装置へ送信する中継装置３をさらに含む。エレベータ制御装置２は、行先階登録ボタンのうち、特定の装置が設けられた階床に対応付けられたボタンが押下された場合、エレベータ８のかごに利用者が乗ったことを検出する。
【００８９】
この構成によれば、利用者が、制御対象の装置がある階床に行くことが決定した場合に、エレベータ側ビーコン６が無線信号を発信するので、特定の装置の制御を必要とする利用者がかごに乗車している場合のみ無線信号を発信することができる。また、利用者は、かごの移動先にある特定の装置の制御を、かごに乗車したときに行うことができる。つまり、かごの移動先にある特定の装置の制御を、適切なタイミングで行うことができる。
【００９０】
また、エレベータ側ビーコン６は、特定の装置が設けられた階床にかごが到着するまで、無線信号を発信し続ける。この構成によれば、特定の装置が設けられた階床にかごが到着する前に、かごが途中の階床で停止して利用者が乗車した場合において、当該利用者の携帯端末５も、無線信号を受信することができる。よって、当該利用者は、特定の装置が設けられた階床に対応付けられた行先階登録ボタンを押下しなくても、特定の装置の制御を行うことができる。
【００９１】
また、特定の装置は、立体駐車場制御装置４であり、特定の装置の制御は、利用者の車両を立体駐車場９から出庫可能とすることである。この構成によれば、利用者は、エレベータ８のかごに乗車してから、自身の車両を立体駐車場９から出庫可能な状態とするので、適切なタイミングで車両を出庫可能とすることができる。また、立体駐車場９の操作盤を操作せずとも車両を出庫可能とすることができるので、車両の出庫にかかる時間を短縮することができる。
【００９２】
また、エレベータシステム１は、立体駐車場９に設けられた立体駐車場側ビーコン７をさらに含む。また、エレベータシステム１は、立体駐車場側ビーコン７が発信した無線信号により、アプリケーションにおいて、エレベータ制御装置２に対する、立体駐車場９が設けられた階床への呼びの登録を実行可能とする。また、中継装置３は、携帯端末５から受信した呼び登録依頼信号をエレベータ制御装置２へ送信する。
【００９３】
この構成によれば、車両を立体駐車場９へ入庫する際に、エレベータ８のかごを立体駐車場９が設けられた階床へ呼ぶことができる。結果として、当該階床のエレベータ乗場での、かごの到着の待ち時間を短縮することができる。
【００９４】
また、立体駐車場側ビーコン７は、立体駐車場９の操作盤の電源をＯＮにしたことをトリガとして、無線信号を発信する。この構成によれば、車両の入庫の際に操作盤の電源をＯＮにしたときに、エレベータ８のかごを立体駐車場９が設けられた階床に呼ぶことができるようになるので、不必要なタイミングでの無線信号の発信を低減することができる。
【００９５】
〔変形例〕
携帯端末５の通信部５１は、エレベータ側ビーコン６または立体駐車場側ビーコン７が発信する無線信号を受信した場合、無線信号に対する応答としての、当該無線信号を受信した旨を示す受信通知信号を、無線信号を発信したビーコンへ送信してもよい。エレベータ側ビーコン６または立体駐車場側ビーコン７は、受信した受信通知信号を中継装置３へ転送する。また、通信部５１は、当該受信通知信号を含む各種信号を送信する場合、当該信号に、携帯端末５を識別する端末識別情報を含めてもよい。端末識別情報は、携帯端末５の各々において固有の情報である。
【００９６】
図１２は、本変形例に係るかご呼び処理の一部の流れについて、一例を示すフローチャートである。具体的には、かご呼び処理において、信号発信指令を送信した後の中継装置３の処理の流れの一例を示すフローチャートである。
【００９７】
通信部３１は、携帯端末５からの呼び登録依頼信号を待機する状態となっている（Ｓ１０１）。呼び登録依頼信号を受信すると（Ｓ１０１でＹＥＳ）、通信部３１は、呼び登録依頼信号に含まれる端末識別情報（第１の識別情報）を記憶部（不図示）に記憶する（Ｓ１０２）。そして、通信部３１は、呼び登録依頼信号をビーコン制御部３２へ出力する。
【００９８】
ビーコン制御部３２は、呼び登録依頼信号を取得したことに基づき、信号発信指令を生成し、通信部３１へ出力する。通信部３１は、取得した信号発信指令をエレベータ側ビーコン６へ送信する（Ｓ１０３）。これにより、エレベータ側ビーコン６は、無線信号を発信し続ける。かごに利用者が乗車すると、携帯端末５が当該無線信号を受信し、受信通知信号をエレベータ側ビーコン６へ送信する。エレベータ側ビーコン６は、受信した受信通知信号を中継装置３へ送信する。なお、図１に示すように、エレベータ側ビーコン６が複数ある場合、中継装置３は、すべてのエレベータ側ビーコン６に信号発信指令を送信する。
【００９９】
また、通信部３１は、受信した呼び登録依頼信号をエレベータ制御装置２へ送信する（Ｓ１０４）。これにより、エレベータ制御装置２は、１階を行先階として登録し、エレベータ８のかごを１階へ向かわせる。
【０１００】
Ｓ１０４の処理を実行した後、通信部３１は、受信通知信号の受信を待機する状態となる（Ｓ１０５）。通信部３１は、受信通知信号を受信するまで（Ｓ１０５でＮＯ）、呼び登録依頼信号をエレベータ制御装置２へ送信し続ける。
【０１０１】
受信通知信号を受信すると（Ｓ１０５でＹＥＳ）、通信部３１は、当該受信通知信号に含まれる端末識別情報（第２の識別情報）と、記憶部に記憶している端末識別情報とが一致するか否かを判定する（Ｓ１０６）。一致しない場合（Ｓ１０６でＮＯ）、通信部３１は、呼び登録依頼信号のエレベータ制御装置２への送信を再開する。
【０１０２】
２つの端末識別情報が一致する場合（Ｓ１０６でＹＥＳ）、通信部３１は、呼び登録依頼信号の送信を終了し、エレベータ側ビーコン６へ信号停止指令を送信する（Ｓ１０７）。これにより、エレベータ側ビーコン６は、無線信号の発信を終了する。
【０１０３】
以上のように、中継装置３は、携帯端末５から、呼び登録依頼信号とともに端末識別情報を受信する。また、中継装置３は、受信通知信号とともに端末識別情報を受信する。そして、中継装置３は、２つの端末識別情報が一致するまで、呼び登録依頼信号をエレベータ制御装置２へ送信し続ける。
【０１０４】
エレベータシステム１において、利用者が立体駐車場９からエレベータ乗場まで移動する間に、エレベータ８を利用しようとする別の利用者が、立体駐車場９が設けられた階床からかごに乗車して別の階床へ移動することが想定される。この問題に対して、上記の構成によれば、呼び登録依頼信号がエレベータ制御装置２へ送信し続けられるので、別の階床へ移動したかごを立体駐車場９が設けられた階床へ再度移動させることができる。結果として、立体駐車場９にてかごを自身がいる階床へ移動させた利用者が、エレベータ乗場に到着したときに、かごが別の階床にあることによりエレベータ乗場にて待たなければならないという状況が発生する可能性を低減させることができる。
【０１０５】
なお、通信部５１は、受信通知信号を、ビーコンを介さず中継装置３へ送信してもよい。また、中継装置３が呼び登録依頼信号をエレベータ制御装置２へ送信し続ける構成に代えて、エレベータ制御装置２が、かごが１階から移動する度に１階を行先階とする呼びを登録する構成であってもよい。この例の場合、制御部２３は、呼び登録依頼信号に基づき、かごを１階へ移動させた後に、別の階が行先階として登録する度に、１階を行先階として再登録する。中継装置３は、受信通知信号に含まれる端末識別情報と、記憶部に記憶している端末識別情報とが一致した場合、エレベータ制御装置２へ、１階を行先階として登録する処理を終了させるための呼び登録停止信号を送信する。この構成によれば、１階にかごがあるにもかかわらず、呼び登録依頼信号が中継装置３からエレベータ制御装置２へ送信されることを防ぐことができる。
【０１０６】
また、立体駐車場９が設けられる階床は１階に限定されない。１階とは異なる階床に立体駐車場９が設けられる場合、エレベータシステム１は、当該階床に対応付けられた行先階登録ボタンが押下されたことをトリガとして、エレベータ側ビーコン６に無線信号を発信させればよい。
【０１０７】
また、エレベータ制御装置２が、かごに利用者が乗車したことを検出する方法は、行先階登録ボタンが押下されたことを検出することに限定されない。例えば、エレベータ制御装置２は、かごに所定値以上の荷重がかかったことを検出したとき、かごに利用者が乗車したことを検出してもよい。また、例えば、エレベータ制御装置２は、かご内に設けられたカメラが撮影した画像に基づき、かごに利用者が乗車したことを検出してもよい。
【０１０８】
これらの変形例では、かごが行先階（例えば１階）に到着するまでエレベータ側ビーコン６が無線信号を発信し続ける構成でなくてもよい。具体的には、これらの変形例では、かごに新たな利用者が乗車する度に、エレベータ側ビーコン６が無線信号を発信する構成であってもよい。つまり、エレベータ制御装置２は、新たな利用者の乗車を検出する度に、その旨を示す信号を中継装置３に送信し、中継装置３からエレベータ側ビーコン６へ、信号発信指令を送信させる。
【０１０９】
また、エレベータ側ビーコン６および立体駐車場側ビーコン７は、常に無線信号を発信する構成であってもよい。
【０１１０】
また、アプリケーションにより実行可能となる特定の機能により制御される特定の装置は、立体駐車場制御装置４および立体駐車場９に限定されない。換言すれば、特定の機能により制御される、かごの行先階に設けられた装置は、立体駐車場制御装置４および立体駐車場９に限定されない。
【０１１１】
また、エレベータ側ビーコン６から発信された無線信号を携帯端末５が受信したことをトリガとして、アプリケーションにおいてエレベータ制御装置２が制御可能となってもよい。当該制御は例えば、行先階の登録であってもよい。
【０１１２】
当該行先階の登録は例えば、行先階登録ボタンに対応付けられていない階床を行先階とする呼びを登録することであってもよい。これにより、アプリケーションを携帯端末５にインストールしていないエレベータ８の利用者は、当該階床へ行くことができないので、当該階床のセキュリティを強化することができる。また、当該行先階の登録は例えば、かご内に行先階登録ボタンが設置されていないエレベータにおいて、行先階の登録を行うことであってもよい。これにより、アプリケーションを携帯端末５にインストールしていない人はそのエレベータを利用することができないので、建物全体のセキュリティを強化することができる。
【０１１３】
また、アプリケーションにより実行可能となる特定の機能は、携帯端末５を制御する機能であってもよい。例えば、百貨店において、エレベータ側ビーコン６から発信された無線信号を携帯端末５が受信したことをトリガとして、携帯端末５において各階床のマップまたはエレベータのかご呼びに応答して停止した階床のマップを表示可能とする構成であってもよい。
【０１１４】
また、上述した実施形態では、ビーコンからの無線信号を受信した携帯端末５が、アプリケーションを起動し、図７や図１１に示す画面を表示する構成であったが、当該無線信号を受信した携帯端末５が実行する処理はこの例に限定されない。例えば、携帯端末５は、所定の操作によりアプリケーションを起動し、図７や図１１に示す画面を表示させることができてもよい。ただし、この例の場合、不必要な立体駐車場９の制御や、不必要なかごの呼びを防ぐため、携帯端末５は、ビーコンからの無線信号を受信するまで、図７に示す画像５３２や、図１１に示す画像５３７へのタッチ操作を受け付けない構成であることが好ましい。ここで、「タッチ操作を受け付けない」とは、画像５３２や画像５３７へのタッチ操作を示す操作信号が携帯端末５の制御部（不図示）へ出力されない構成であってもよいし、当該操作信号が制御部へ出力されるが、制御部が当該操作信号に基づく処理を実行しない構成であってもよい。
【０１１５】
なお、エレベータシステム１は、立体駐車場側ビーコン７を含まない構成であってもよい。つまり、この例に係るエレベータシステム１は、上述したかご呼び処理を実行しない。
【０１１６】
また、エレベータ８のかごに利用者が乗車したことを検出する検出装置とエレベータ制御装置２とは別体であってもよい。この例の場合、中継装置３は、エレベータ８のかごに利用者が乗車したことを示す情報を、当該検出装置から受信したことをトリガとして、エレベータ側ビーコン６に信号発信指令を送信してもよい。
【０１１７】
〔ソフトウェアによる実現例〕
エレベータ制御装置２および中継装置３の各部は、集積回路（ＩＣチップ）等に形成された論理回路（ハードウェア）によって実現してもよいし、ソフトウェアによって実現してもよい。
【０１１８】
後者の場合、エレベータ制御装置２および中継装置３は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１１９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２０】
〔付記事項〕
本開示に係る発明は、以下のように表現することもできる。
本発明の態様Ａに係るプログラム（特定のアプリケーション）は、エレベータ（エレベータ８）の利用者の携帯端末（携帯端末５）において実行されるプログラムであって、前記かご内に設置された無線信号装置（エレベータ側ビーコン６）から、前記エレベータのかごに前記利用者が乗車したことをトリガとして発信された無線信号を受信するステップ（Ｓ３１）と、前記受信した無線信号により、特定の機能を実行可能とするステップ（Ｓ３２）と、を前記携帯端末に実行させる、プログラム。
【０１２１】
また、本発明の態様Ｂに係るプログラムは、前記態様Ａにおいて、前記受信するステップでは、前記かご内に設置され、建物の各階床に対応付けられた行先階登録ボタンのいずれかが押下されたことをトリガとして発信された前記無線信号を受信してもよい。
【０１２２】
また、本発明の態様Ｃに係るプログラムは、前記態様Ｂにおいて、前記実行可能とするステップでは、前記特定の機能として、前記かごの行先階に設けられた特定の装置（立体駐車場制御装置４）の制御を実行可能とし、前記特定の装置を制御するための制御信号を、中継装置（中継装置３）を介して前記特定の装置へ送信するステップ（ｄ３１）をさらに前記携帯端末に実行させ、前記受信するステップでは、前記行先階登録ボタンのうち、前記特定の装置が設けられた階床に対応付けられたボタンが押下されたことをトリガとして発信された前記無線信号を受信してもよい。
【０１２３】
また、本発明の態様Ｄに係るプログラムは、前記態様Ｃにおいて、前記無線信号は、前記特定の装置が設けられた階床に前記かごが到着するまで発信され続けてもよい。
【０１２４】
また、本発明の態様Ｅに係るプログラムは、前記態様ＣまたはＤにおいて、前記特定の装置は、立体駐車場（立体駐車場９）の制御装置（立体駐車場制御装置４）であり、前記実行可能とするステップでは、前記利用者の車両を前記立体駐車場から出庫可能としてもよい。
【０１２５】
また、本発明の態様Ｆに係るプログラムは、前記態様Ｅにおいて、前記立体駐車場に設けられた駐車場側無線信号装置（立体駐車場側ビーコン７）から発信された無線信号を受信するステップ（Ｓ８１）と、当該受信した無線信号により、前記エレベータを制御するエレベータ制御装置（エレベータ制御装置２）に対する、前記立体駐車場が設けられた階床への呼びの登録を実行可能とするステップ（Ｓ８２）と、前記呼びの登録のための登録信号を、前記中継装置を介して前記エレベータ制御装置へ送信するステップ（ｄ８１）と、をさらに前記携帯端末に実行させてもよい。
【０１２６】
また、本発明の態様Ｇに係るプログラムは、前記態様Ｆにおいて、前記駐車場側無線信号装置から発信される前記無線信号は、前記立体駐車場の操作盤の電源を入れたことをトリガとして発信されてもよい。
【０１２７】
また、本発明の態様Ｈに係るプログラムは、前記態様ＦまたはＧにおいて、前記登録信号とともに、前記携帯端末を識別する第１の識別信号を前記中継装置へ送信するステップ（Ｓ１０１）と、前記無線信号から発信された無線信号への応答として前記携帯端末を識別する第２の識別信号を前記中継装置へ送信するステップ（Ｓ１０５）と、をさらに前記携帯端末に実行させ、前記登録信号は、前記第２の識別情報が、前記第１の識別情報と一致するまで、前記エレベータ制御装置へ送信され続けてもよい。
【０１２８】
また、本開示に係る発明は、以下のように表現することもできる。
【０１２９】
本発明の態様Ｉに係るプログラムは、（特定のアプリケーション）は、エレベータ（エレベータ８）の利用者の携帯端末（携帯端末５）において実行されるプログラムであって、前記かご内に設置された無線信号装置（エレベータ側ビーコン６）から発信された無線信号を受信するステップ（Ｓ３１）と、前記受信した無線信号により、前記携帯端末と異なる装置（立体駐車場制御装置４）の制御を実行可能とするステップ（Ｓ３２）と、を前記携帯端末に実行させる、プログラム。
【０１３０】
また、本発明の態様Ｊに係るプログラムは、前記態様Ｉにおいて、前記実行可能とするステップでは、前記かごの行先階に設けられた特定の装置（立体駐車場制御装置４）の制御を実行可能とし、前記特定の装置を制御するための制御信号を、中継装置（中継装置３）を介して前記特定の装置へ送信するステップ（ｄ３１）をさらに前記携帯端末に実行させてもよい。
【０１３１】
また、本発明の態様Ｋに係るプログラムは、前記態様Ｊにおいて、前記特定の装置は、立体駐車場（立体駐車場９）の制御装置（立体駐車場制御装置４）であり、前記実行可能とするステップでは、前記利用者の車両を前記立体駐車場から出庫可能としてもよい。
【０１３２】
また、本発明の態様Ｌに係るプログラムは、前記態様Ｋにおいて、前記立体駐車場に設けられた駐車場側無線信号装置（立体駐車場側ビーコン７）から発信された無線信号を受信するステップ（Ｓ８１）と、当該受信した無線信号により、前記エレベータを制御するエレベータ制御装置（エレベータ制御装置２）に対する、前記立体駐車場が設けられた階床への呼びの登録を実行可能とするステップ（Ｓ８２）と、前記呼びの登録のための登録信号を、前記中継装置を介して前記エレベータ制御装置へ送信するステップ（ｄ８１）と、をさらに前記携帯端末に実行させてもよい。
【０１３３】
また、本発明の態様Ｍに係るプログラムは、前記態様Ｌにおいて、前記駐車場側無線信号装置から発信される前記無線信号は、前記立体駐車場の操作盤の電源を入れたことをトリガとして発信されてもよい。
【０１３４】
また、本発明の態様Ｎに係るプログラムは、前記態様ＬまたはＭにおいて、前記登録信号とともに、前記携帯端末を識別する第１の識別信号を前記中継装置へ送信するステップ（Ｓ１０１）と、前記無線信号から発信された無線信号への応答として前記携帯端末を識別する第２の識別信号を前記中継装置へ送信するステップ（Ｓ１０５）と、をさらに前記携帯端末に実行させ、前記登録信号は、前記第２の識別情報が、前記第１の識別情報と一致するまで、前記エレベータ制御装置へ送信され続けてもよい。
【符号の説明】
【０１３５】
１  エレベータシステム
２  エレベータ制御装置（検出装置）
３  中継装置
４  立体駐車場制御装置（特定の装置、立体駐車場の制御装置）
５  携帯端末
６、６Ａ、６Ｂ  エレベータ側ビーコン（無線信号装置）
７  立体駐車場側ビーコン（駐車場側無線信号装置）
８、８Ａ、８Ｂ  エレベータ
９  立体駐車場
【要約】
【課題】適切な状況において無線信号を発信させ、エレベータの利用者の携帯端末において特定の機能を実行可能とする。
【解決手段】エレベータシステム（１）は、エレベータ（８）のかごに利用者が乗車したことを検出するエレベータ制御装置（２）と、かご内に設置され、かごに利用者が乗車したことが検出されたとき、無線信号を発信するエレベータ側ビーコン（６）と、を含み、当該無線信号により、利用者が所持している携帯端末（５）に予めインストールされた特定のアプリケーションにおいて、特定の機能を実行可能とする。
【選択図】図１【図１】
0006897825.tif 000002
【図２】
0006897825.tif 000003
【図３】
0006897825.tif 000004
【図４】
0006897825.tif 000005
【図５】
0006897825.tif 000006
【図６】
0006897825.tif 000007
【図７】
0006897825.tif 000008
【図８】
0006897825.tif 000009
【図９】
0006897825.tif 000010
【図１０】
0006897825.tif 000011
【図１１】
0006897825.tif 000012
【図１２】
0006897825.tif 000013